(57)【要約】  走動作や歩行動作の際に、大腿部を上げる方向にアシスト力が作用し、股関節の屈曲可動域を増大させる機能を有する、ランニング等のトレーニングに適したタイツ１を提供する。前身頃の履き口前部から膝頭点に向かう大腿部の大腿直筋の範囲内の領域に、少なくとも膝蓋骨上端に達する長さで、後身頃の素材よりも伸長回復力が大きい素材２を配置し、この高弾性素材２が、股関節の伸展動作の際に伸長し、股関節の屈曲動作の際に、伸長した高弾性素材２が縮んで股関節の屈曲動作をアシストするようにした。
2013179440.tif 000002
【特許請求の範囲】
【請求項１】
伸長回復力を有する素材で形成され、体表に密着する腹部、臀部、股関節部、少なくとも膝蓋骨上端までの脚部を覆う領域を備えるタイツにおいて、前身頃の履き口前部から膝頭点に向かう大腿部の大腿直筋の範囲内の領域に、少なくとも膝蓋骨上端に達する長さで、後身頃の素材よりも伸長回復力が大きい素材を配置し、この伸長回復力が大きい素材が、股関節の伸展動作の際に伸長し、股関節の屈曲動作の際に、伸長した伸長回復力が大きい素材が縮んで股関節の屈曲動作をアシストすることを特徴とするタイツ。
【請求項２】
仕立て状態で、大腿部を覆う領域が、着用者の大腿長軸よりも前方に傾斜していることを特徴とする請求項１記載のタイツ。
【請求項３】
脚部を覆う領域が、少なくとも膝下まで延びている請求項１又は２記載のタイツ。
【請求項４】
仕立て状態で、脚部の膝から下の領域が、着用者の大腿長軸よりも後方に傾斜していることを特徴とする請求項３記載のタイツ。
【請求項５】
上記前身頃に配置した伸長回復力が大きい素材が、膝頭の下方位置まで連続して配置されている請求項１〜４のいずれかに記載のタイツ。
【請求項６】
上記脚部の下端内面に、高摩擦素材を配置している請求項１〜５のいずれかに記載のタイツ。
【発明の詳細な説明】
【技術分野】
【０００１】
この発明は、ランニングや歩行の際、特に走動作において、股関節の屈曲可動域が大きくなるように、股関節を屈曲させる方向にアシスト力が作用するタイツに関するものである。
【背景技術】
【０００２】
走動作や歩行動作は、基本的に足が地面に接地している局面（支持期）と接地していない局面（非支持期）とに分けることができ、大腿部を上げる非支持期では股関節が骨盤に対して前方に屈曲する。【０００３】
走動作における動作分析では、図１に示すように非支持期における前方への股関節の屈曲可動域（θ１）は、骨盤角度（骨盤の中心を通る身体の中心軸Ｚ）に対して９０°程度であるのに対し、支持期における後方への伸展可動域（θ２）は骨盤角度に対して１０°程度であり、股関節の屈曲位が支配的な動作である。図１において、Ａは股関節の大転子、Ｂは膝中央点を示している。また、θ３は、θ１とθ２を加えた股関節の動作範囲を示している。【０００４】
上記のように、走動作においては、股関節の屈曲位が支配的な動作になるため、股関節の屈曲可動域が増大するようにトレーニングを行えば、地面反発力とストライドが増大し、理想的なフォームの習得、パフォーマンスの向上に有効である。【０００５】
ところで、従来、運動を行う際に着用するタイツは、可動性を高めるために、一般的には縦横２方向に伸縮性を有する素材で形成されている。また、一般的なタイツの形状は、立位姿勢を基本とし、脚部が身体の中心軸に対してストレートな形状のパターンが採用され、フィット性を高めるために、後身頃に臀部形状分のゆとり寸を付与している。【０００６】
また、膝関節等への負担を軽減し、屈曲位姿勢の際に、ウエアの引きつれを低減するために、部分的に伸長回復力が大きい素材を配置したタイツや、スキーやバイクの競技用のユニフォームのように、常に股関節が屈曲した姿勢をとるようにパターンを作成したものがある（特許文献１〜３）。
また、従来、図１４に示すように、大腿部の半分程度の丈のタイツで、「歩行時の足の振り上げを大きくし、自然と歩幅を増加させる」ということを謳ったものもある（非特許文献１）。
【先行技術文献】
【特許文献】
【０００７】
【特許文献１】特開２００６−２０７０５６号公報
【特許文献２】特開２００７−２３４６６号公報
【特許文献３】特許第４６８４３７０号公報
【非特許文献】
【０００８】
【非特許文献１】日経トレンディネット  ２００９年１１月１７日掲載「グンゼ・アシックスの商品  カラダトレーナー」http://trendy.nikkeibp.co.jp/article/column/20091002/1029378/
【発明の概要】
【発明が解決しようとする課題】
【０００９】
ところが、従来のスポーツ用のタイツや、スキーやバイクの競技用のユニフォームには、股関節の屈曲可動域を増大させるといった機能はない。【００１０】
また、非特許文献１に記載された図１４のタイツは、「独自のパワー構造（図１４に符号３で示す部分）を腰から膝上までの大腿前部に配置し、腿を前方に運ぶ動作をサポートすることにより、歩行時の足の振り上げを大きくし、自然と歩幅を増加させる」ということを謳ったものであるが、大腿部の半分程度の丈であり、股関節の伸展動作や屈曲動作の際に、股関節の屈曲をアシストするものではない。即ち、この図１４のタイツは、第１４図の身丈が大腿部の半分程度の長さで、膝蓋骨上端までの長さがなく、股関節の屈曲を主としてつかさどる大腿直筋を覆う構造ではなく、膝関節伸展時の大腿下部の筋の隆起を阻害しないように考慮して、あえてパワー構造を、大腿直筋を回避するように配置している。そのため、股関節の伸展動作や屈曲動作の際に、大腿直筋を回避するように配置されたパワー構造では、大腿直筋の働きをアシストして、股関節の屈曲可動域を増大させるといった効果は実質的に全くない。したがって、図１４のタイツは、特に、走動作における股関節屈曲促進によるストライド増大という効果は望めない。【００１１】
そこで、この発明は、走動作や歩行動作の際に、股関節を屈曲させる方向にアシスト力が作用し、股関節の屈曲可動域を増大させる機能を有する、特に、ランニング等のトレーニングに適したタイツを提供しようとするものである。
【課題を解決するための手段】
【００１２】
この発明は、上記の課題を解決するために、伸長回復力を有する素材で形成され、体表に密着する腹部、臀部、股関節部、少なくとも膝蓋骨上端までの脚部を覆う領域を備えるタイツにおいて、前身頃の履き口前部から膝頭点に向かう大腿部の大腿直筋の範囲内の領域に、少なくとも膝蓋骨上端に達する長さで、後身頃の素材よりも伸長回復力が大きい素材（以下、「高弾性素材」という。）を配置し、この高弾性素材が、股関節の伸展動作の際に伸長し、股関節の屈曲動作の際に、伸長した高弾性素材が縮んで股関節の屈曲動作をアシストするようにしたものである。【００１３】
大腿直筋は、大腿部の股関節屈曲筋群のうち、主として股関節を屈曲する働きと、膝関節を伸展する働きを有する。【００１４】
したがって、前身頃の履き口前部から膝頭点に向かう大腿部の大腿直筋の範囲内の領域に、少なくとも膝蓋骨上端に達する長さで、後身頃の素材よりも伸長回復力が大きい高弾性素材を配置することにより、高弾性素材が、股関節の伸展動作の際に伸長し、股関節の屈曲動作の際に、伸長した高弾性素材が縮むことにより、大腿直筋の働きをアシストし、股関節の屈曲可動域が増大する。【００１５】
さらに、仕立て状態で、大腿部を覆う脚部の領域を、着用者の静止立位時の大腿部長軸（以下、この「静止立位時の大腿部長軸」を適宜「大腿長軸」ということもある。）よりも前方に傾斜させることにより、前方に傾斜した分だけ、股関節の伸展動作の際に、高弾性素材がより大きく伸長するため、股関節の屈曲動作の際に、より大きい伸長回復力が働き、大腿直筋のアシスト力がさらに増大する。【００１６】
この発明のタイツは、前身頃の大腿部に、高弾性素材が配置され、この高弾性素材が、股関節の伸展、屈曲動作の際に、伸び縮みするため、脚部の長さが膝蓋骨上端までの場合には、ズレ上がりが生じて、伸縮力が弱められ易い。このため、脚部の長さは、膝下まで延びていることが好ましい。【００１７】
また、脚部のズレ上がりを防止するために、脚部の下端内面に、高摩擦素材を配置することが望ましい。また、脚部下端の裾部の着圧を、高弾性素材を配置している部分と同等かそれよりも大きくして、裾部のズレ上がりを防止するようにしてもよい。【００１８】
また、より大きい伸長回復力を得るためには、前身頃に配置する高弾性素材を、膝頭の下方位置まで連続して配置することが好ましい。【００１９】
脚部の長さを膝下まで延ばした場合、前身頃側に配置した高弾性素材によって、膝下の後方側への屈曲動作に支障が生じたり、着心地が悪くなったりするおそれがある。そのような場合には、仕立て状態で、脚部の膝から下の領域を、着用者の大腿長軸よりも後方に傾斜させておくことが好ましい。
また、ウエストラインは、骨盤腸骨棘よりも上に設けることにより、骨盤にフィットさせることができる。
【発明の効果】
【００２０】
この発明によれば、上記のように、前身頃の履き口前部から膝頭点に向かう大腿部の大腿直筋の範囲内の領域に、少なくとも膝蓋骨上端に達する長さで、後身頃の素材よりも伸長回復力が大きい高弾性素材を配置することにより、高弾性素材が、股関節の伸展動作の際に伸長し、股関節の屈曲動作の際に、伸長した高弾性素材が縮むことにより、大腿直筋の働きがアシストされ、股関節の屈曲可動域が増大する。【００２１】
したがって、この発明のタイツは、股関節の屈曲可動域を増大させるトレーニングを効果的に行うことができる。
【図面の簡単な説明】
【００２２】
【図１】走動作時における股関節並びに膝関節の屈曲状態を示す概念図である。
【図２Ａ】この発明の第１の実施形態の正面図である。
【図２Ｂ】図２Ａの実施形態の側面図である。
【図３Ａ】この発明の第２の実施形態の正面図である。
【図３Ｂ】図３Ａの実施形態の側面図である。
【図４Ａ】第２の実施形態のタイツをスラックス折りする手順を示す正面図である。
【図４Ｂ】図４Ａの背面図である。
【図４Ｃ】第２の実施形態のタイツをスラックス折りした状態の側面図である。
【図５Ａ】この発明の第３の実施形態の正面図である。
【図５Ｂ】図５Ａの実施形態の側面図である。
【図６】第３の実施形態のタイツをスラックス折りした状態の側面図である。
【図７】第３の実施形態のタイツの型紙パターンである。
【図８Ａ】この発明の第４の実施形態の正面図である。
【図８Ｂ】図８Ａの実施形態の側面図である。
【図９Ａ】この発明の第５の実施形態の正面図である。
【図９Ｂ】図９Ａの実施形態の側面図である。
【図１０Ａ】この発明の第６の実施形態の正面図である。
【図１０Ｂ】図１０Ａの実施形態の側面図である。
【図１１Ａ】この発明の第７の実施形態の正面図である。
【図１１Ｂ】図１１Ａの実施形態の側面図である。
【図１２】股関節から大腿部の筋肉群を示す模式図である。
【図１３】この発明に係るタイツの作用を示す概念図である。
【図１４】従来のタイツの正面図である。
【発明を実施するための形態】
【００２３】
以下、この発明に係るタイツの実施形態について説明する。
【００２４】
この発明に係るタイツ１は、伸長回復力を有する素材で形成され、体表に密着する腹部、臀部、股関節部、少なくとも膝蓋骨上端までの脚部を覆う領域を備える。
【００２５】
そして、前身頃の履き口前部から膝頭点に向かう大腿部の大腿直筋の範囲内の領域に、少なくとも膝蓋骨上端に達する長さで、後身頃の素材よりも伸長回復力が大きい高弾性素材２を配置し、この高弾性素材２が、股関節の伸展動作の際に伸長し、股関節の屈曲動作の際に、伸長した高弾性素材２が縮んで股関節の屈曲動作をアシストするようにしたものである。
【００２６】
大腿部の大腿直筋とは、図１２の大腿部の筋肉群を示す模式図の股関節屈曲筋群のうち、符号Ｃで示した、主として股関節を屈曲する働きと、膝関節を伸展する働きを有する筋肉である。
【００２７】
高弾性素材２の幅は、股関節の屈曲動作のアシスト力を向上させるためには、前身頃の履き口前部において、ヒップ周りの寸法の５％以上とし、膝蓋骨上端において、大腿直筋の付着部である大腿骨幅以上にすることが望ましい。なお、高弾性素材２は、幅を一定としてもよいし、幅を変えてもよい。また、高弾性素材２は、脚部の長さ方向に途切れないように配置すれば、その領域内に、高弾性素材２よりも伸長回復力が小さい素材によって形成される部分を、１つ以上設けてもよい（例えば、高弾性素材２よりも伸長回復力が小さい素材によって形成される部分を不連続状態に設けてもよいし、高弾性素材２が枝分かれするように設けてもよい）。また、大腿直筋の働きをアシストする効果を大きくして股関節の屈曲可動域を増大させるために、大腿直筋の中心軸上には、前身頃の履き口前部から膝蓋骨上端にわたって連続して高弾性素材２が設けられていることが好ましく、さらに高弾性素材２の幅が前身頃の履き口前部においてヒップ周りの寸法の５％以上で、膝蓋骨上端において大腿骨幅以上であることがより好ましい。
【００２８】
図１１には、この発明に係るタイツ１の脚部丈の最低基準となる膝蓋骨上端のラインをａ、膝頭のラインをｂ、膝頭の下方の脛骨粗面のラインをｃで示している。以下に示す各実施形態のタイツ１には、このａ、ｂ、ｃのラインを示している。
【００２９】
この発明に係るタイツ１は、前身頃の履き口前部から膝頭点に向かう大腿部の大腿直筋の範囲内、即ち、大腿直筋が存在する領域に、少なくとも膝蓋骨上端ａに達する長さで、後身頃の素材よりも伸長回復力が大きい高弾性素材２を配置することにより、高弾性素材２が、図１３に矢印Ｄに示すように、股関節の伸展動作の際に伸長し、股関節の屈曲動作の際に、図１３に矢印Ｅで示すように、伸長した高弾性素材２が縮むことにより、大腿直筋の働きがアシストされ、股関節の屈曲可動域が増大する。
【００３０】
この発明に係るタイツ１に使用する伸長回復力を有する素材としては、着用時に身体の長軸方向に対して生地幅１ｃｍ当たり０．９８Ｎ（１００ｇｆ）の荷重に対し、３０％以上伸長する素材であることが好ましく、前身頃と後身頃を構成する全てのパーツを織物や編物素材によって形成する場合には、単一の生地内において、部分的に糸使いを変更して弾性率を調整し、高弾性素材２を形成することができる。この高弾性素材２は、例えば、高弾性素材２以外の部分に、生地幅１ｃｍ当たり０．９８Ｎ（１００ｇｆ）の荷重に対し、３０％伸長する素材を使用した場合には、生地幅１ｃｍ当たり０．９８Ｎ（１００ｇｆ）の荷重に対し、１０％以上３０％未満伸長する素材とし、３５％伸長する素材を使用した場合には、１０％以上３５％未満伸長する素材とし、４０％伸長する素材を使用した場合には、１０％以上４０％未満伸長する素材とするように適宜設定してもよい。高弾性素材２は、高筋力者ほど大きい伸長回復力を有する素材を使用する。
【００３１】
高弾性素材２を形成する方法は特に限定されない。高弾性素材２は、生地の上に、ネオプレン等のラバー素材や、ＰＵパネル等を接着することにより、形成してもよい。また、高弾性素材２を設けるには、生地の上に樹脂等の塗布加工を施すことにより、形成してもよい。また、高弾性素材２を設けるには、編み糸の種類や編み密度、編み組織、編み糸の本数を適宜変更することにより、任意の弾性率の生地を得て使用することもできる。また、高弾性素材２を設けるには、高弾性生地を使用するだけでなく、高弾性部材としての樹脂シートやパワーメッシュを使用してもよい。具体的には、高弾性素材２は、高弾性部材が２ＷＡＹトリコットに縫合若しくは接合されて構成されるものであってもよく、他の部材を用いずにポリウレタンなどの高弾性部材のみによって構成されるものであってもよい。
【００３２】
図２Ａ及び図２Ｂは、この発明の第１の実施形態のタイツ１を示している。この第１の実施形態のタイツ１は、脚部の丈が、膝蓋骨上端のラインａまでの比較的短く、脚部が大腿長軸に対して前後に傾斜しないストレート形状のものである。
【００３３】
図３Ａ及び図３Ｂは、この発明の第２の実施形態のタイツ１を示している。この第２の実施形態のタイツ１は、図２Ａ及び図２Ｂに示す第１の実施形態と同様に、脚部の丈が、膝蓋骨上端のラインａまでの比較的短いタイプである。
【００３４】
前記の第１の実施形態のタイツ１は、脚部が大腿長軸に対して前後に傾斜しないストレート形状をしているため、股関節最大屈曲位では、前身頃に生地の詰まりが生じ、動作の妨げや不快感を誘引する可能性がある。
【００３５】
このため、図３Ａ及び図３Ｂに示す第２の実施形態のタイツ１は、前身頃の大腿部の寸法を、着用者の大腿部の寸法よりも短くし、仕立て状態において、大腿部が着用者の大腿長軸よりも前方に傾斜した屈曲構造にしている。
【００３６】
このように、タイツ１の大腿部を着用者の大腿長軸よりも前方に傾斜させることにより、走動作時の支持期後半での股関節伸展の際に、大きな生地伸びを前身頃に生じさせることができ、この生地伸びによる生地張力が、非支持期の股関節屈曲動作の際に、大きなアシスト力として働く。
【００３７】
タイツ１の大腿部の前方への傾斜角度θ３は、股関節伸展の際に大きな生地張力を生じさせるためには、少なくとも１０°以上、好ましくは２０°以上必要である。
【００３８】
上記傾斜角度は、タイツ１をスラックス折りにし、タイツ１上に定めた固定点を用いて、以下の手順により簡易に推定することができる。
【００３９】
スラックス折りは、図４Ａに示すように、正面の中心線Ｙと股上端点との中点をＰｌ、中心線Ｙと膝頭部の内外側の中点をＰ４とし、次いで、図４Ｂに示すように、背面の中心線Ｙと履き口ｅとの交点をＰ２、膝窩部の内外側の中点をＰ５として、図４Ｃに示すように、線分Ｐ１−Ｐ４を基準線として、線分Ｐ１−Ｐ４よりも中央寄りの部分を左右脚ともに内側に折り込む畳み方である。
【００４０】
スラックス折りの状態で、線分Ｐ２−Ｐ５に対して最も後方に隆起している点をＰ３とする。Ｐ３は、パターン上のヒップライン上におおよそ一致する点である。図４Ｃに示すように、Ｐ３から線分Ｐ１−Ｐ４へ垂線を引き、線分Ｐ１−Ｐ４との交点をＱ１、線分Ｑ１−Ｐ３の中点をＱ２とする。線分Ｐ１−Ｐ２の中点をＱ３、線分Ｐ４−Ｐ５の中点をＱ４とし、線分Ｑ２−Ｑ３の延長線と線分Ｑ２−Ｑ４のなす角を、前方への傾斜角度θ１とする。なお、線分Ｑ２−Ｑ３は、骨盤の中心を通る身体の中心軸Ｚに一致する。
【００４１】
次に、図５Ａ及び図５Ｂは、脚部の丈が、足首まである丈の長い、この発明の第３の実施形態のタイツを示している。
【００４２】
この図５Ａ及び図５Ｂの第３の実施形態では、高弾性素材２を、前身頃の履き口前部から膝頭を超えて足首まで連続するように配置している。
【００４３】
高弾性素材２が膝頭を超えて足首まで連続するように配置すると、下腿部も生地張力により前方側に引っ張られるため、膝関節の後方側への屈曲に支障を来す恐れがある。
【００４４】
このため、図５Ａ及び図５Ｂの第３の実施形態では、下腿部を、大腿長軸よりも後方に傾斜する屈曲構造を採用している。
【００４５】
この下腿部の傾斜角度θ４は、少なくとも１０°以上であり、この傾斜角度θ４は、大腿部の前方への傾斜角度θ３と同様に、タイツ１をスラックス折りにし、タイツ１上に定めた固定点を用いて、以下の手順により簡易に推定することができる。
【００４６】
即ち、タイツ１をスラックス折りにする手順は、図４Ａ〜Ｃと同様であり、正面の中心線Ｙと裾部の内外側の中点をＰ６とし、背面の中心線Ｙと裾部の内外側の中点をＰ７として、図６に示すように、線分Ｐ６−Ｐ７の中点をＱ５とする。膝頭部の内外側の中点Ｐ４と膝窩部の内外側の中点をＰ５とし、線分Ｐ４−Ｐ５の中点Ｑ４と線分Ｐ６−Ｐ７の中点Ｑ５とを結ぶ線分と、線分Ｐ４−Ｐ５の中点Ｑ４から静止立位時の身体の中心線（静止立位時の大腿部長軸）ｇである線分Ｑ２−Ｑ３と平行な線分ｈとがなす角が、下腿部の傾斜角度θ４である。
【００４７】
この下腿部の傾斜角度θ４は、膝関節の動作範囲が、屈曲位が支配的であるため、少なくとも１０°以上の角度にすることが望ましい。
【００４８】
図７は、図５Ａ及び図５Ｂの第３の実施形態の型紙の例であり、片側の脚部を、左側から内、前、外、後の４つのパーツで形成している。片側の脚部を４つのパーツで形成することにより、大腿部の傾斜角を大きくすることができる。例えば、内外パーツの前パーツ接合線を後パーツ接合線よりも短縮し、大転子点に角度を設け、股関節部に屈曲構造をもたせることができる。例えば、前身頃と後身頃の長軸寸法差を１５％とすると、４５°の前方への傾斜角度を設けることができる。
【００４９】
次に、図８Ａ及び図８Ｂは、この発明の第４の実施形態であり、脚部の丈が、足首まである丈の長いタイツである点で、図５Ａ及び図５Ｂの第３の実施形態と同様であり、図５Ａ及び図５Ｂの第３の実施形態との相違点は、膝頭部を超えて連続する高弾性素材２によって膝部の屈曲性が阻害されないように、膝頭部分に高弾性素材２が配置されないように、膝頭部分を、円形に高弾性素材２よりも伸長回復力が小さい素材によって形成した例である。
【００５０】
次に、図９Ａ及び図９Ｂは、この発明の第５の実施形態であり、脚部の丈が、膝頭の下方の脛骨粗面のラインｃまでのタイツである。その他の構成は、図８Ａ及び図８Ｂに示す実施形態と同様であり、膝頭部分に高弾性素材２が配置されないように、膝頭部分を、円形に高弾性素材２よりも伸長回復力が小さい素材によって形成している。
【００５１】
次に、図１０Ａ及び図１０Ｂは、この発明の第６の実施形態であり、図９Ａ及び図９Ｂに示す第５の実施形態と同様に、脚部の丈が、膝頭の下方の脛骨粗面のラインｃまでのタイツである。この図１０Ａ及び図１０Ｂに示す第６の実施形態は、膝頭から下方部分に高弾性素材２が配置されないように、膝頭から下方を逆Ｕ字型に、高弾性素材２よりも伸長回復力が小さい素材によって形成している。
【００５２】
次に、図１１Ａ及び図１１Ｂは、この発明の第７の実施形態であり、図５Ａ及び図５Ｂの実施形態と同様に、脚部の丈が、足首まである丈の長いタイツであり、この実施形態は、前身頃全体を高弾性素材２によって形成している。
【００５３】
上記の各実施形態のうち、脚部の丈が、膝頭を超えて足首方向に延びている場合には、大腿部の屈曲動作の際に、膝蓋骨の凸形状によって裾部がズレ上がり難いが、脚部の丈が、膝蓋骨上端のラインａまでの比較的短いタイツ１の場合には、膝蓋骨の凸形状による裾部のズレ上がりを防止効果が期待できないため、脚部の裾部の内面に、高摩擦滑り止めテープなどの高摩擦素材を配置したり、裾部の着圧を高弾性素材２の配置部分と同等かそれよりも大きくしたりして裾部のズレ上がりを防止することが望ましい。裾部のズレ上がりを防止することにより、高弾性素材２の伸長回復力の低下を防止できる。
【産業上の利用分野】
【００５４】
以上のように、この発明に係るタイツは、股関節の屈曲可動域を増大させるトレーニング用に最適である。
【符号の説明】
【００５５】
１  タイツ
２  高弾性素材
【図１】
2013179440.tif 000003
【図２Ａ】
2013179440.tif 000004
【図２Ｂ】
2013179440.tif 000005
【図３Ａ】
2013179440.tif 000006
【図３Ｂ】
2013179440.tif 000007
【図４Ａ】
2013179440.tif 000008
【図４Ｂ】
2013179440.tif 000009
【図４Ｃ】
2013179440.tif 000010
【図５Ａ】
2013179440.tif 000011
【図５Ｂ】
2013179440.tif 000012
【図６】
2013179440.tif 000013
【図７】
2013179440.tif 000014
【図８Ａ】
2013179440.tif 000015
【図８Ｂ】
2013179440.tif 000016
【図９Ａ】
2013179440.tif 000017
【図９Ｂ】
2013179440.tif 000018
【図１０Ａ】
2013179440.tif 000019
【図１０Ｂ】
2013179440.tif 000020
【図１１Ａ】
2013179440.tif 000021
【図１１Ｂ】
2013179440.tif 000022
【図１２】
2013179440.tif 000023
【図１３】
2013179440.tif 000024
【図１４】
2013179440.tif 000025
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
伸長回復力を有する素材で形成され、体表に密着する腹部、臀部、股関節部、少なくとも膝蓋骨上端までの脚部を覆う領域を備えるタイツにおいて、前身頃の大腿部寸法を、着用者の大腿部の寸法より短くし、仕立て状態において、大腿部が着用者の大腿長軸よりも前方に傾斜させた屈曲構造とし、前身頃の履き口前部から膝頭点に向かう大腿部の大腿直筋の範囲内の領域に、少なくとも膝蓋骨上端に達する長さで、後身頃の素材よりも伸長回復力が大きい素材を配置し、この伸長回復力が大きい素材が、股関節の伸展動作の際に伸長し、股関節の屈曲動作の際に、伸長した伸長回復力が大きい素材が縮んで股関節の屈曲動作をアシストすることを特徴とするタイツ。
【請求項２】
（削除）
【請求項３】
脚部を覆う領域が、少なくとも膝下まで延びている請求項１記載のタイツ。
【請求項４】
仕立て状態で、脚部の膝から下の領域が、着用者の大腿長軸よりも後方に傾斜していることを特徴とする請求項３記載のタイツ。
【請求項５】
上記前身頃に配置した伸長回復力が大きい素材が、膝頭の下方位置まで連続して配置されている請求項１，３，４のいずれかに記載のタイツ。
【請求項６】
上記脚部の下端内面に、高摩擦素材を配置している請求項１，３，４，５のいずれかに記載のタイツ。
【国際調査報告】
2013179440.tif 000026
2013179440.tif 000027
2013179440.tif 000028